(57)【要約】      （修正有）【課題】ユーザが購入したコンテンツを携帯端末上で使用中に、当該携帯端末にアクセスしてきた相手ユーザに対して、自動的に相手ユーザに推薦するコンテンツ送受方法等を提供する。【解決手段】第１端末装置は、コンテンツ情報を再生する再生工程と、コンテンツ情報を再生中に第２端末装置から音声着信があった場合に、呼び出し音として再生中のコンテンツ情報の一部と、コンテンツ情報に関する情報とを第２端末装置に対して送信する送信工程と、第２端末装置は、第１端末装置からコンテンツ情報の一部と、コンテンツ情報に関する情報とを受信する受信工程と、受信工程で受信したコンテンツ情報の一部と、コンテンツ情報に関する情報とに基づいて、第２端末装置がサーバ装置にコンテンツ情報の購入の申込をする場合は、サーバ装置は、第２端末装置にコンテンツ情報を送信すると共に、第１端末装置に対して所定の特典を付与する付与工程などを備える。【選択図】図１
2009237756.tif 000002
【特許請求の範囲】
【請求項１】
第１端末装置と、第２端末装置と、コンテンツ情報を配信するサーバ装置とを備えるコンテンツ送受システムにおけるコンテンツ送受方法において、
前記第１端末装置は、前記サーバ装置に、前記コンテンツ情報の購入の申込をする購入申込工程と、
前記サーバ装置は、前記第１端末装置に、前記コンテンツ情報を送信する第１送信工程と、
前記第１端末装置は、前記コンテンツ情報を受信する第１受信工程と、
前記第１端末装置は、前記コンテンツ情報と当該コンテンツ情報に関する情報とを記憶する記憶工程と、
前記第１端末装置は、前記コンテンツ情報を再生する再生工程と、
前記第１端末装置は、前記コンテンツ情報を再生中に前記第２端末装置から音声着信があった場合に、呼び出し音として再生中の前記コンテンツ情報の一部と、前記コンテンツ情報に関する情報とを前記第２端末装置に対して送信する第２送信工程と、
前記第２端末装置は、前記第１端末装置から前記コンテンツ情報の一部と、前記コンテンツ情報に関する情報とを受信する第２受信工程と、
前記第２受信工程で受信した前記コンテンツ情報の一部と、前記コンテンツ情報に関する情報とに基づいて、前記第２端末装置が前記サーバ装置に前記コンテンツ情報の購入の申込をする場合は、前記サーバ装置は、前記第２端末装置に前記コンテンツ情報を送信すると共に、前記第１端末装置に対して所定の特典を付与する付与工程と、
を備えることを特徴とするコンテンツ送受方法。
【請求項２】
請求項１に記載のコンテンツ送受方法において、
前記コンテンツ情報は、音楽コンテンツ情報、動画コンテンツ情報、又は画像コンテンツ情報の何れか１であることを特徴とするコンテンツ送受方法。
【請求項３】
第１端末装置と、第２端末装置と、コンテンツ情報を配信するサーバ装置とを備えるコンテンツ送受システムにおいて、
前記第１端末装置は、
前記サーバ装置に、前記コンテンツ情報の購入の申込をする購入申込手段と、
前記コンテンツ情報を受信する第１受信手段と、
前記コンテンツ情報と当該コンテンツ情報に関する情報とを記憶する記憶手段と、
前記コンテンツ情報を再生する再生手段と、
前記コンテンツ情報を再生中に前記第２端末装置から音声着信があった場合に、呼び出し音として再生中の前記コンテンツ情報の一部と、前記コンテンツ情報に関する情報とを前記第２端末装置に対して送信する第２送信手段と、
前記第２端末装置は、
前記第１端末装置から前記コンテンツ情報の一部と、前記コンテンツ情報に関する情報とを受信する第２受信手段と、
前記サーバ装置は、
前記第１端末装置に、前記コンテンツ情報を送信する第１送信手段と、
前記第２受信工程で受信した前記コンテンツ情報の一部と、前記コンテンツ情報に関する情報とに基づいて、前記第２端末装置が前記サーバ装置に前記コンテンツ情報の購入の申込をする場合は、前記第２端末装置に前記コンテンツ情報を送信すると共に、前記第１端末装置に対して所定の特典を付与する付与手段と、
を備えることを特徴とするコンテンツ送受システム。
【請求項４】
請求項３に記載のコンテンツ送受システムにおいて、
前記コンテンツ情報は、音楽コンテンツ情報、動画コンテンツ情報、又は画像コンテンツ情報の何れか１であることを特徴とするコンテンツ送受システム。
【請求項５】
請求項３に記載のコンテンツ送受システムに備えられるサーバ装置として機能させることを特徴とするサーバプログラム。
【発明の詳細な説明】
【技術分野】
【０００１】
本発明は、コンテンツ送受方法、コンテンツ送受システム、及びサーバプログラムに関する。
【背景技術】
【０００２】
携帯電話等の携帯端末をネットワークに接続し、ネットワーク経由で購入することができるコンテンツは、コンテンツの料金の他にデータ通信料も別途課金されるため、割高なものとなっている。
【０００３】
また、コンテンツを保存するために携帯電話に確保されている記憶領域は有限であるために、コンテンツを追加購入すると記憶領域が足りなくなり、最終的にいずれかのコンテンツを消去する選択にせまられる。またバックアップのために、パーソナルコンピュータにコンテンツデータを移行するにも、著作権保護の観点から回数制限等の制約事項が多いことが現状である。例えば、Ａｐｐｌｅ社のiTune Storeで提供されるコンテンツは、特定機器への転送回数は無制限である。しかし、データ通信料も無線ＬＡＮ（Local Area Network）等を使用すればほぼ無料のため、上記のサービスではユーザが負担する料金という点では圧倒的に不利である。
【０００４】
また携帯電話等の携帯端末で有料コンテンツを利用するユーザに成功報酬型サービスを提供してユーザの金銭的負担を軽減することが考えられる。例えば、特許文献１には、推薦により楽曲を購入したとき、その推薦者に報酬が還元されるようにする技術が開示されている。
【特許文献１】特開２００７‐５２４７３号公報
【発明の開示】
【発明が解決しようとする課題】
【０００５】
しかしながら、上記従来の技術では、購入したコンテンツを、意図的に相手ユーザに知らしめることなく、相手ユーザの購入機会を増やすことは不可能であるという問題点があった。
【０００６】
そこで、本発明は、上記問題点に鑑みて為されたもので、その目的の一例は、ユーザが購入したコンテンツを携帯端末上で使用中に、当該携帯端末にアクセスしてきた相手ユーザに対して、ユーザが意図せずに自動的に相手ユーザに推薦するコンテンツ送受方法等を提供することである。
【課題を解決するための手段】
【０００７】
上記の課題を解決するために、請求項１に記載の発明は、第１端末装置と、第２端末装置と、コンテンツ情報を配信するサーバ装置とを備えるコンテンツ送受システムにおけるコンテンツ送受方法において、前記第１端末装置は、前記サーバ装置に、前記コンテンツ情報の購入の申込をする購入申込工程と、前記サーバ装置は、前記第１端末装置に、前記コンテンツ情報を送信する第１送信工程と、前記第１端末装置は、前記コンテンツ情報を受信する第１受信工程と、前記第１端末装置は、前記コンテンツ情報と当該コンテンツ情報に関する情報とを記憶する記憶工程と、前記第１端末装置は、前記コンテンツ情報を再生する再生工程と、前記第１端末装置は、前記コンテンツ情報を再生中に前記第２端末装置から音声着信があった場合に、呼び出し音として再生中の前記コンテンツ情報の一部と、前記コンテンツ情報に関する情報とを前記第２端末装置に対して送信する第２送信工程と、前記第２端末装置は、前記第１端末装置から前記コンテンツ情報の一部と、前記コンテンツ情報に関する情報とを受信する第２受信工程と、前記第２受信工程で受信した前記コンテンツ情報の一部と、前記コンテンツ情報に関する情報とに基づいて、前記第２端末装置が前記サーバ装置に前記コンテンツ情報の購入の申込をする場合は、前記サーバ装置は、前記第２端末装置に前記コンテンツ情報を送信すると共に、前記第１端末装置に対して所定の特典を付与する付与工程と、を備えることを特徴とする。
【０００８】
上記の課題を解決するために、請求項２に記載の発明は、請求項１に記載のコンテンツ送受方法において、前記コンテンツ情報は、音楽コンテンツ情報、動画コンテンツ情報、又は画像コンテンツ情報の何れか１であることを特徴とする。
【０００９】
上記の課題を解決するために、請求項３に記載の発明は、第１端末装置と、第２端末装置と、コンテンツ情報を配信するサーバ装置とを備えるコンテンツ送受システムにおいて、前記第１端末装置は、前記サーバ装置に、前記コンテンツ情報の購入の申込をする購入申込手段と、前記コンテンツ情報を受信する第１受信手段と、前記コンテンツ情報と当該コンテンツ情報に関する情報とを記憶する記憶手段と、前記コンテンツ情報を再生する再生手段と、前記コンテンツ情報を再生中に前記第２端末装置から音声着信があった場合に、呼び出し音として再生中の前記コンテンツ情報の一部と、前記コンテンツ情報に関する情報とを前記第２端末装置に対して送信する第２送信手段と、前記第２端末装置は、前記第１端末装置から前記コンテンツ情報の一部と、前記コンテンツ情報に関する情報とを受信する第２受信手段と、前記サーバ装置は、前記第１端末装置に、前記コンテンツ情報を送信する第１送信手段と、前記第２受信工程で受信した前記コンテンツ情報の一部と、前記コンテンツ情報に関する情報とに基づいて、前記第２端末装置が前記サーバ装置に前記コンテンツ情報の購入の申込をする場合は、前記第２端末装置に前記コンテンツ情報を送信すると共に、前記第１端末装置に対して所定の特典を付与する付与手段と、を備えることを特徴とする。
【００１０】
上記の課題を解決するために、請求項４に記載の発明は、請求項３に記載のコンテンツ送受システムにおいて、前記コンテンツ情報は、音楽コンテンツ情報、動画コンテンツ情報、又は画像コンテンツ情報の何れか１であることを特徴とする。
【００１１】
上記の課題を解決するために、請求項５に記載の発明は、請求項３に記載のコンテンツ送受システムに備えられるサーバ装置として機能させることを特徴とする。
【発明の効果】
【００１２】
以上のように、本発明によれば、有料コンテンツの料金を下げずに成功報酬という形でユーザに還元することにより、実質的な値下げ効果が生まれる。
【００１３】
また、本発明によれば、値下げ効果による有料コンテンツの利用が活性化する。
【００１４】
また、本発明によれば、ユーザ主導による広告により、コンテンツプロバイダは有料コンテンツの宣伝効果を得られる。
【００１５】
また、本発明によれば、コンテンツプロバイダは、有料コンテンツの利用ユーザの増加が期待できる。
【００１６】
また、本発明によれば、携帯情報端末でネットワーク経由で購入したコンテンツを使用中に音声やメール着信があった際に、そのレスポンスに自動的に使用中コンテンツに関する広告を相手に対して通知を行うので、購入したコンテンツを、意図的に相手ユーザに知らしめることなく、相手ユーザの購入機会を増やすことができる。
【発明を実施するための最良の形態】
【００１７】
次に、本発明に好適な実施の形態について、図面に基づいて説明する。
【００１８】
なお、以下に説明する実施の形態は、コンテンツ送受システムに対して本発明を適用した場合の実施形態である。
【００１９】
まず、本実施形態に係るコンテンツ送受システムの構成及び機能について、図１を参照して説明する。
【００２０】
図１は、コンテンツ送受システムの構成の概略を示す図である。
【００２１】
図１に示すように、本実施形態に係るコンテンツ送受システムＳは、ネットワーク２００に接続される第１端末装置の一例としてのユーザ端末１００、第２端末装置の一例としてのユーザ端末４００及びサーバ装置の一例としてのコンテンツプロバイダのサーバ（以下、コンテンツプロバイダ３００と称する。）と、を備えて構成されている。
【００２２】
ネットワーク２００は、例えばインターネットや携帯電話ネットワーク等である。また、ユーザ端末１００は、ユーザ１が使用し、ユーザ端末４００は、ユーザ２が使用し、それぞれネットワーク２００に接続できる機能を備えており、例えばパーソナルコンピュータ、音楽プレーヤ、携帯電話等のユーザ端末である。
【００２３】
ユーザ端末１００は、購入申込手段の一例及び再生手段の一例としての第１ユーザ端末制御部（不図示）を備えており、当該第１ユーザ端末制御部は、記憶手段の一例としての第１コンテンツ蓄積部（不図示）、第１コンテンツ再生部（不図示）、第１出力部（不図示）、第１入力部（不図示）、第１表示部（不図示）及び第１受信手段の一例、及び第２送信手段の一例としての第１ネットワーク接続部（不図示）とが接続されている。
【００２４】
第１ユーザ端末制御部は、ＣＰＵ、プログラムやデータが書き込まれたＲＯＭ、プログラムやデータが展開されるＲＡＭ、及び、その他の記憶装置によって構成されている。また、第１ユーザ端末制御部は、ユーザ端末１００全体を制御するとともに、後述のようなコンテンツ送受に係る処理を実行するものである。
【００２５】
第１コンテンツ蓄積部は、ディスク媒体や半導体メモリなどの記憶装置を備えており、多数の音楽についての後述のような情報を記憶するものである。
【００２６】
第１コンテンツ再生部は、第１コンテンツ蓄積部に記録されている音楽コンテンツ情報を再生処理するものである。
【００２７】
第１出力部は、第１コンテンツ再生部での処理後の楽曲データをアナログ音声信号に変換するＤＡコンバータ、及び、その変換後の音声信号が供給される音声増幅回路及びスピーカ又はヘッドホンである。ただし、第１出力部の一部又は全部は、ユーザ端末１００の外部に接続される構成でも良い。
【００２８】
第１入力部は、ユーザ１がユーザ端末１００に対して入力をするものである。
【００２９】
第１表示部は、ユーザ端末１００がユーザ１に対して各種の表示をするものである。なお、ユーザインタフェース用の第１表示部としては、例えば有機ＥＬや液晶等の第１表示部が考えられる。
【００３０】
第１ネットワーク接続部は、Ｗｅｂブラウザ等によって、ネットワーク２００に接続して、ユーザ端末４００やコンテンツプロバイダ３００にアクセスするものである。
【００３１】
ユーザ端末４００は、第２ユーザ端末４００制御部（不図示）を備えており、当該第２ユーザ端末制御部は、第２コンテンツ蓄積部（不図示）、第２コンテンツ再生部（不図示）、第２出力部（不図示）、第２入力部（不図示）、第２表示部（不図示）、及び第２受信手段の一例としての第２ネットワーク接続部（不図示）と接続されており、ハードウェア的にもソフトウェア的にも、ユーザ端末１００と同様に構成される。
【００３２】
コンテンツプロバイダ３００は、付与手段の一例としてのサーバ制御部（不図示）を備えており、当該サーバ装置制御部は、第３コンテンツ蓄積部（不図示）、第３コンテンツ管理部（不図示）、及び第１送信手段の一例としての第３ネットワーク接続部（不図示）と接続されている。
【００３３】
サーバ制御部は、ＣＰＵ、プログラムやデータが書き込まれたＲＯＭ、プログラムやデータが展開されるＲＡＭ、及び、その他の記憶装置によって構成されている。また、サーバ制御部は、コンテンツプロバイダ３００全体を制御するとともに、後述のような音楽コンテンツの販売、音楽コンテンツデータ及び音楽コンテンツに関する情報の送信、及び成功報酬付与等に係る処理を実行するものである。
【００３４】
第３コンテンツ蓄積部は、大容量の記憶装置を備えており、多数の音楽コンテンツデータや音楽コンテンツに関連する情報等を記憶するものである。
【００３５】
第３コンテンツ管理部は、第３コンテンツ蓄積部に記録されている音楽コンテンツデータを読み出す等、第３コンテンツ蓄積部に蓄積されている音楽コンテンツデータを管理するものである。
【００３６】
第３ネットワーク接続部は、ネットワーク２００に接続するものである。
【００３７】
次に、本発明の実施形態に係るコンテンツ送受システムＳの動作について、図２乃至５を参照して説明する。
【００３８】
なお、図２は、音楽コンテンツ３０１の再生中に、ユーザ２のユーザ端末４００より音声着信があった際に、呼び出し音として再生中の音楽コンテンツ３０１の一部をユーザ２に対して聞かせるとともに、音楽コンテンツ３０１に関する情報３０２もユーザ２に通知をすることを説明するための図であり、図３は、ユーザ２が呼び出し音として聞いた音楽コンテンツ３０１に関する情報３０２からコンテンツプロバイダ３００に問い合わせて気に入った場合にはその音楽コンテンツ３０１を購入すること説明するための図であり、図４は、ユーザ１がコンテンツプロバイダ３００より、例えばコンテンツ料の数％を成功報酬５００として受け取ることを説明するための図であり、図５は、コンテンツ送受システムの動作の詳細を示すフローチャートである。
【００３９】
まず、ユーザ１は、ユーザ端末１００の第１入力部を操作して、ネットワーク２００を介してコンテンツプロバイダ３００より音楽コンテンツ３０１を購入し、ユーザ端末１００にダウンロードして保存する。また、音楽コンテンツ３０１に関する情報３０２も、同時に保存する。
【００４０】
ユーザ１は、ユーザ端末１００にて購入した音楽コンテンツ３０１を再生する。
【００４１】
図２に示すように、音楽コンテンツ３０１の再生中に、ユーザ２のユーザ端末４００より音声着信があった際に、呼び出し音として再生中の音楽コンテンツ３０１の一部をユーザ２に対して聞かせる。また、同時に、音楽コンテンツ３０１に関する情報３０２もユーザ２に通知をする。なお、当該通知の方法は、直接ユーザ２のユーザ端末４００に行うか、若しくは、ネットワーク２００に保存しておいてユーザ２が自発的に問い合わせる等、手段は問わない。
【００４２】
次に、図３に示すように、ユーザ２は、通話終了後、ユーザ端末４００の第２入力部を操作して、呼び出し音として聞いた音楽コンテンツ３０１に関する情報３０２からコンテンツプロバイダ３００に問い合わせて、気に入った場合には、その音楽コンテンツ３０１を購入する。
【００４３】
次に、図４に示すように、ユーザ２が音楽コンテンツ３０１を購入したことにより、ユーザ１は、コンテンツプロバイダ３００より、例えばコンテンツ料の数％を成功報酬５００として受け取る。
【００４４】
次に、本発明の実施形態のコンテンツ送受システムの動作について、図５を参照してより具体的に説明する。
【００４５】
ユーザ１は、まずユーザ端末１００にてネットワーク２００経由でコンテンツプロバイダ３００から音楽コンテンツ３０１を購入し、第１ユーザ端末制御部は、当該音楽コンテンツ３０１をユーザ端末１００の第１コンテンツ蓄積部に保存（記憶）させる（ステップＡ１）。また、当該音楽コンテンツ３０１をユーザ端末１００の第１コンテンツ蓄積部に保存（記憶）させる際に、音楽コンテンツ３０１に関する情報３０２（例えば、歌手名、楽曲情報、コンテンツプロバイダ３００のＵＲＬ（Uniform Resource Locator）等）を同時に保存（記憶）させる（ステップＡ２）。
【００４６】
次いでユーザ１の第１入力部の所定操作により、第１ユーザ端末制御部は、ユーザ端末１００の第１コンテンツ再生部に音楽コンテンツ３０１を再生させる（ステップＡ３）。
【００４７】
次に第１ユーザ端末制御部は、音楽コンテンツ３０１の再生中に別のユーザ２のユーザ端末４００より着信する（ステップＡ４）。
【００４８】
第１ユーザ端末制御部は、再生中の音楽コンテンツ３０１を、呼び出し中の音（呼び出し音）としてユーザ２に聞かせるために、ユーザ端末４００に送信する（ステップＡ５）。また、同時に、ユーザ端末１００の第１コンテンツ蓄積部に保存（記憶）された音楽コンテンツに関する情報３０２を、ユーザ２のユーザ端末４００の第２ユーザ端末制御部がアクセス可能な場所（例えば、ネットワーク２００上や、ユーザ２のユーザ端末４００の第２コンテンツ蓄積部等）に展開する（ステップＡ６）。
【００４９】
通話終了後、ユーザ２のユーザ端末４００にて操作を実施し、第２ユーザ端末制御部は、先ほど呼び出し音で聞かされた音楽コンテンツに関する情報３０２より、コンテンツプロバイダ３００にアクセスを行う（ステップＡ７）。そして、ユーザ２は、音楽コンテンツ３０１の購入が可能となる。
【００５０】
次いでコンテンツプロバイダ３００のサーバ制御部は、ユーザ２のユーザ端末４００が接続したコンテンツプロバイダ３００の提供する音楽コンテンツ３００を購入したか否かを判定する（ステップＡ８）。
【００５１】
ユーザ２が接続したコンテンツプロバイダ３００の提供する音楽コンテンツ３００を購入したと判定しない場合（ステップＡ８：ＮＯ）は、この処理を終了し、一方、ユーザ２が接続したコンテンツプロバイダ３００の提供する音楽コンテンツ３００を購入したと判定した場合（ステップＡ８：ＹＥＳ）は、コンテンツプロバイダ３００のサーバ制御部は、ユーザ１に対して成功報酬５００としてある一定金額の還元を行い（ステップＡ９）、処理を終了する。
【００５２】
以上説明したように、本実施形態によれば、有料コンテンツの料金を下げずに、成功報酬５００という形でユーザ１に還元することにより、実質的な値下げ効果が生まれる。
【００５３】
また、本実施形態によれば、実質的な値下げ効果による有料コンテンツの利用を活性化することができる。
【００５４】
また、本実施形態によれば、ユーザ１の主導による広告により、コンテンツプロバイダ３００は、有料コンテンツの宣伝効果を得られる。
【００５５】
また、本実施形態によれば、コンテンツプロバイダ３００は、有料コンテンツの利用ユーザの増加が期待できる。
【００５６】
また、本実施形態によれば、購入した音楽コンテンツ３０１を、意図的に相手ユーザに知らしめることなく、相手ユーザの購入機会を増やすことができる。
【００５７】
なお、本発明の技術的思想を逸脱しない範囲で、多様な変更が可能である。例えば、本実施形態の他の実施形態として、音楽コンテンツ３０１の代わりとして、動画コンテンツや、画像コンテンツ等で代替することが可能である。
【００５８】
また、本実施形態の図５におけるステップＡ３での音楽コンテンツ再生中は、直接音楽として聞いている時だけではなく、有料コンテンツが着信音等に設定されている場合にも適用することが可能である。また、画像などは待ち受け画面に設定されている場合も適用することが可能である。また、動画コンテンツを視聴中にテレビ電話着信があったら、その動画コンテンツの一部が相手ユーザの端末にて視聴することができる。
【００５９】
また、本実施形態の図５におけるステップＡ４の音声着信の代わりに、メール着信があった場合は、相手への返信メール内にコンテンツプロバイダや使用中のコンテンツに関する情報が確認できるサイトのＵＲＬを自動的に記載するように構成しても良い。
【００６０】
また、本発明は産業上の利用が考えられる分野として、携帯電話等の有料コンテンツダウンロードサービスが考えられる。
【図面の簡単な説明】
【００６１】
【図１】本実施形態に係るコンテンツ送受システムの構成の概略を示す図である。
【図２】本実施形態に係るコンテンツ送受システムの動作の概略を説明するための図である。
【図３】本実施形態に係るコンテンツ送受システムの動作の概略を説明するための図である。
【図４】本実施形態に係るコンテンツ送受システムの動作の概略を説明するための図である。
【図５】本実施形態に係るコンテンツ送受システムの動作の詳細を示すフローチャートである。
【符号の説明】
【００６２】
１００  ユーザ端末
２００  ネットワーク
３００  コンテンツプロバイダ
３０１  音楽コンテンツ
３０２  音楽コンテンツに関する情報
４００  ユーザ端末
５００  成功報酬
【図１】
2009237756.tif 000003
【図２】
2009237756.tif 000004
【図３】
2009237756.tif 000005
【図４】
2009237756.tif 000006
【図５】
2009237756.tif 000007